(57)【要約】【課題】地震の際の家具の転倒を、固定用の金具やねじを用いることなく、効果的に防止する。このことで高級家具などを傷つけることなく、その耐震性を向上させる。さらに、家具上のデッドスペースの有効利用をはかり、かつ、このことによる危険も減少させる。【解決手段】家具が設置される床面Ｆから天井Ｒに至る寸法とほぼ等しい長さを有する左右側板２，３の上部を、上下二段の天板４，５で連結し、これを略門形の耐震構造体１とした。そして、下側の天板５と左右の側板２，３で囲まれた空間内に収納されるように家具（食器棚２０）をセットすることにより、地震の際、この家具が耐震構造体１を介して建物の床面Ｆと天井Ｒとの間で倒れないように保持されることとした。【選択図】図１
2005152512.tif 000002
【特許請求の範囲】
【請求項１】
家具が設置される床面から天井面に至る寸法とほぼ等しい長さを有する左右の側板と、この左右の側板の上部を横方向に連結した天板とからなる正面視、略門形に形成されたものであって、家具を囲うように設置されることにより、地震の際に転倒しないように該家具に耐震性を付与することを特徴とする家具の耐震構造体。
【請求項２】
家具が設置される床面から天井面に至る寸法とほぼ等しい長さを有する左右の側板の上部に、この左右の側板の所定位置を横方向に連結した天板と底板、及びこの天板と側板との間の裏面側と表面側に設けられた背板と開閉扉とからなる箱状の収納部が設けられた門形形状の家具であって、他の家具を囲うように設置されることにより、地震の際に転倒しないように該家具に耐震性を付与することを特徴とする耐震家具。
【発明の詳細な説明】
【技術分野】
【０００１】
本発明は、本棚や食器棚、箪笥、ロッカーなどの家具を、地震の際、転倒しないように収納保護する耐震構造体と、同様に他の家具を収納保護し、それ自体が家具としての機能を備えた耐震家具に関する。
【背景技術】
【０００２】
本棚や食器棚、箪笥、ロッカーなどの床上設置形の家具は、一般にその高さが１８０ｃｍ程度に統一されている。従って、室内に配置した際、２４０ｃｍ程度の高さを有する天井との間に６０ｃｍ程度の隙間を生じることとなり、この隙間がデッドスペースになっていた。
【０００３】
また、この隙間を利用して、家具の天板上に種々の物品を載置するということも多く行われているが、この場合、地震が発生すると、これらの物が落下して思わぬ怪我をするおそれがあり、場合によっては、家具自体が倒れて被害をさらに大きなものにするという問題点があった。
【０００４】
そこで、地震の際、家具上に載置した物が落下したり、家具が倒れることを防止する対策が必要であった。
【０００５】
従来、家具が倒れる事を防止するものとしては、家具などの箱状内容物収納体の天板上に、脚状の４本の伸縮装置と、この伸縮装置で支持された天板とからなる耐震構造部分を設けたものがあった。この耐震構造部分は、伸縮装置の働きにより、その上端を天井に押し当て、収納体を床と天井との間で突っ張らせて、その転倒を防止するように機能するものであった。（例えば、特許文献１参照）。  
【０００６】
また、この他に、タンスの天板上に載置される重ね家具の内部両端奥隅部に収納パイプを設置し、上部からこの収納パイプに挿入された門形パイプを、天井に圧接させることにより、前記のものと同様にしてタンスの転倒を防止するようにしたものもあった。（例えば、特許文献２参照）。
【特許文献１】特開平８−２５２１３６号公報（第４−６頁、第１図）
【特許文献２】特開平２０００−３１６６５７号公報（第２頁、第１図）
【発明の開示】
【発明が解決しようとする課題】
【０００７】
上述した従来のもののうち、前者の家具上に耐震構造部分を設けたものは、脚状の伸縮装置の下端を家具の天板上に固定しておかないと、地震の際、耐震構造部分が家具上から外れて機能しなくなるおそれがあった。しかしながら、地震からの被害を特に防ぎたい高級家具の場合、その固定は、天板が傷付くこととなるので躊躇われ、なかなか所定の機能を発揮するようにその利用がはかられないという問題点があった。
【０００８】
また、この耐震構造部分は、家具の転倒を防止するように機能するだけであり、家具の天板上に載置された物品の落下を防止する機能までは備えていなかった。
【０００９】
また、後者の重ね家具を用いたものは、この重ね家具内に物品を収納することができるので、地震の際、これらの物品が直ちに落下するということはないが、天井と接する部分が細い門形パイプに限られているので、地震が発生した際、この門形パイプが接した天井の特定の個所に過大な応力が集中するおそれがあり、特に石膏ボードなどで仕上げられた多くの天井の場合、簡単に天井面が破壊されることとなり、これもなかなか所定の機能を発揮できないという問題点があった。
【００１０】
さらに、上記従来のものは何れも家具の上側に耐震構造部分や重ね家具を配置することにより、その高さを天井面と同等とし、このことで同じ寸法の空間内で物理的に転倒できないようにしているが、横方向の動きについては弱く、地震の際、家具が床面を滑って移動するおそれがあり、このことで家具が他のものと衝突して損傷したり、あるいは思わぬ事故を引き起しかねないという問題点を有していた。
【００１１】
本発明は、上記従来の家具の耐震構造や耐震家具が有していた問題点の解決を課題とする。
【課題を解決するための手段】
【００１２】
上記の問題点を解決するために、本発明のうち、請求項１記載の発明は、家具が設置される床面から天井面に至る寸法とほぼ等しい長さを有する左右の側板と、この左右の側板の上部を横方向に連結した天板とで正面視、略門形の耐震構造体を構成し、この耐震構造体を、家具を囲うように設置することにより、地震の際に転倒しないように家具に耐震性を与えるようにしたことを特徴とする。
【００１３】
請求項２記載の発明は、他の家具の側面と上面を囲うように設置される耐震家具を、この家具が設置される床面から天井面に至る寸法とほぼ等しい長さを有する左右の側板の上部に、この左右の側板の所定位置を横方向に連結した天板と底板、及びこの天板と側板との間の裏面側と表面側に設けられた背板と開閉扉とからなる箱状の収納部が設けられた門形形状のものとし、この耐震家具で前記家具を保護することにより、地震の際に転倒しないように前記家具に耐震性を与えることとした。
【発明の効果】
【００１４】
本発明のうち、請求項１記載の発明では、家具を天井までの高さを有する門形の耐震構造体に収納保護することとしたので、家具を一切傷つけることなく、この家具に地震の際に倒れない耐震性を与えることができる。よって、地震の際に家具が倒れることによる事故が未然に防止されるという効果がある。また、左右の側板を連結した天板は、家具の上面を保護すると共に、収納棚としての機能も果たし、家具上のデッドスペースの有効利用がはかられるという効果もある。
【００１５】
請求項２記載の発明では、家具を天井までの高さを有し、かつ上部に、開閉扉を備えた収納部が設けられた門形の耐震家具に収納保護することとしたので、上記請求項１記載の発明の効果に加え、上記収納部に収納された物品が、その前面に設けられた開閉扉により、地震の際、直ちに落下することが防止され、安全性の一層の向上がはかられる。また、家具上のデッドスペースを利用して収納された物品が、外部から視認不可にこの開閉扉で隠蔽されるので、その外観の体裁も良くなるという効果がある。
【発明を実施するための最良の形態】
【００１６】
以下、本発明を図示した実施の形態に基づき詳細に説明する。
【００１７】
図１は、本発明に係る耐震構造体の設置状態を示した正面図、図２は、その左側面図である。
【００１８】
図示したように本発明の耐震構造体１は、天井Ｒの高さと略等しい長さを有する左右の側板２，３の上部を、上下二枚の天板４，５で横方向に連結した略門形のものであり、下側の天板５の下方に形成された空間内に、食器棚２０などの家具を収納するようになっている。従って、左右の側板２，３間の内寸は、収納される家具（食器棚２０）の横幅とほぼ等しい寸法に設定され、下側の天板５の裏面とこの耐震構造体１が設置された床面Ｆとの距離は、収納される家具（食器棚２０）の高さとほぼ等しい寸法に設定されている。
【００１９】
なお、上記側板２，３や天板４，５は、容易に折れ曲がったり、破損しない程度の強度を有し、かつ、容易に撓まないように強固に一体的に連結されるものであれば良く、その材質は、合板やスチールなど、どのようなものであっても良い。また、その形状も必ずしも一枚の板状のものでなくても良く、例えば、その周囲を枠体で構成し、内部にパンチングメタルやスチールネットなどを取り付けたものであっても良い。
【００２０】
本発明の耐震構造体１は、上記の構成を有している。
【００２１】
なお、図１において符号６は、上下の天板４，５の中程に取り付けられた仕切板を示す。この仕切板６は、必ずしも必要なものではないが、上下の天板４，５をこのように仕切板６で連結することとすれば、耐震構造物１自体の剛性が向上することとなるので、望ましい。また、図示していないが、剛性の一層の向上が必要な場合は、左右の側板２，３をその背面側（図２において左側）において背板や連結部材などを用いて連結するようにしても良い。
【００２２】
次に上記構成を有する本発明の耐震構造体１の働きについて説明する。
【００２３】
まず、通常の設置状態では、食器棚２０は、その上面と側面が囲まれるように、耐震構造体１の内部空間に収納されている。この時、食器棚２０の周囲と耐震構造体１との隙間は、極めて狭小に設定されている。しかしながら、食器棚２０は、何らの手段によりこの耐震構造体１と連結されておらず、従って、固定用の金具やねじによる傷つきは、一切、生じていない。また、耐震構造体１をセットしても食器棚２０の前面は、全て開放されているので、通常の使用において何ら問題を生じることはなく、そればかりか、耐震構造体１の天板４，５を収納棚として利用し、食器棚２０上のスペースの有効利用もはかれるものである。
【００２４】
そして、この状態で地震が発生すると、図５に示したように、食器棚２０を床面Ｆ上に載置しただけの場合、背面側（図５において紙面の奥側）の壁Ｗしかこの食器棚２０を支えるものがなく、従って、食器棚２０は容易に前方に倒れることとなるが、耐震構造体１をセットした場合、この耐震構造体１は、天井Ｒまでの高さとほぼ等しい高さを有しているため、天井Ｒ面で規制され、倒れることができない。つまり、倒れるためには、少なくとも側板２，３の対角線の寸法以上の距離が、床面Ｆと天井Ｒ面との間に生じなくてはならないが、地震において、天井Ｒが落下することはあっても天井Ｒが持ち上がるということは、考えられず、従って、物理的にこの耐震構造体１が倒れるということはあり得ないものである。よって、この耐震構造体１の側板２，３と天板５で、上面と側面が規制された食器棚２０も、収納部分から真っ直ぐ前方に滑り出さない限り、倒れることはない。
【００２５】
なお、この食器棚２０の周囲と耐震構造体１との隙間は、上述したように極めて狭小に設定されているので、地震の際の不規則な揺れを受けて、食器棚２０が耐震構造体１と引っ掛からずに真っ直ぐ前方に滑り出すとは考え難く、食器棚２０の転倒は、この耐震構造体１でほぼ確実に防止されるものである。
【００２６】
本発明の耐震構造体１は、上記のようにして用いられ、機能する。
【００２７】
なお、図示した実施の形態では、左右の側板２，３の上部を上下二段の天板４，５で連結したものを例示したが、この天板４，５は、左右の側板２，３を連結して門形の耐震構造体１を構成するものであれば良く、その数は任意である。
【００２８】
図３、図４は本発明の他の実施形態を示しており、この場合、左右の側板１２，１３の上部に、前面に開閉扉１７が設けられた箱状の収納部１８を設け、本棚２０を倒れないように保護する構造体自体を耐震家具１１としたものである。従って、本棚２０の上部には、この収納部１８の底板１５が向き合い、この底板１５で本棚３０を転倒不可に規制することとしている。また、収納部１８の上面は、左右の側板１２，１３の上端を連結した天板１４で塞がれ、収納部１８の背面（図４において左面）は、背板１９で塞がれている。このように、この実施形態のものも、その基本的な構成や機能は、前記実施形態のものとなんら変わることはない。よって、ここでは地震の際に本棚３０が転倒不可に保持される詳細な動きについては、その説明を省略する。
【００２９】
なお、この耐震家具１１に収納保護された本棚３０を単独で設置した状態は、図５に示した通りであり、これも地震の揺れを受けると、転倒は免れないものである。
【図面の簡単な説明】
【００３０】
【図１】本発明に係る耐震構造体の実施形態による設置状態の正面図である。
【図２】図１の左側面図である。
【図３】他の実施形態の設置状態を示した正面図である。
【図４】図３の左側面図である。
【図５】収納保護される家具の単独設置状態を示した正面図である。
【符号の説明】
【００３１】
１  耐震構造体
２，３，１２，１３  側板
４，５，１４  天板
６  仕切板
１１  耐震家具
１５  底板
１６  棚板
１７  開閉扉
１８  収納部
１９  背板
２０  食器棚
３０  本棚
Ｒ  天井
Ｆ  床面
Ｗ  壁
【図１】
2005152512.tif 000003
【図２】
2005152512.tif 000004
【図３】
2005152512.tif 000005
【図４】
2005152512.tif 000006
【図５】
2005152512.tif 000007